(57)【要約】【課題】威嚇の開始または終了タイミングを容易に適正化できる防犯照明装置を提供する。【解決手段】時間帯特定手段１９により特定された防犯用の時間帯において人体検知器１により人体が検知されたとき、検知エリアＡ１〜Ａ４内への侵入者を威嚇するので、防犯用の時間帯の特定により威嚇の開始タイミングを容易かつ適切に設定できる。【選択図】　　　　図１
2004062269.tif 000002
【特許請求の範囲】
【請求項１】
検知エリア内の人体を検知する人体検知器と、
人体が検知されたとき検知エリアを照明する照明器と、
一日における防犯用の時間帯を特定する時間帯特定手段と、
特定された防犯用の時間帯において人体が検知されたとき、検知エリア内への侵入者を威嚇する威嚇手段とを備えた防犯照明装置。
【請求項２】
請求項１において、
前記威嚇手段が前記照明器の照明の点滅により威嚇するものである防犯照明装置。
【請求項３】
請求項１において、
前記威嚇手段が、音による威嚇、または前記照明器の照明の点滅による威嚇と音による威嚇の組合せである防犯照明装置。
【請求項４】
請求項１において、
前記時間帯特定手段は、日没を検知する日没検知手段と、防犯用の時間帯の威嚇開始時刻を日没からの経過時間として設定する開始時刻設定手段と、防犯用の時間帯の威嚇終了時刻を日没からの経過時間として設定する終了時刻設定手段と、前記威嚇開始時刻から威嚇終了時刻までの経過時間を測定する経過時間測定手段とを備えた防犯照明装置。
【請求項５】
請求項１において、
前記時間帯特定手段は、日没を検知する日没検知手段と、日の出を検知する日の出検知手段と、防犯用の時間帯の威嚇開始時刻を日没から日の出までの中点を算出してこの中点に設定する開始時刻設定手段と、防犯用の時間帯の威嚇終了時刻を中点からの経過時間として設定する終了時刻設定手段と、前記威嚇開始時刻から威嚇終了時刻までの経過時間を測定する経過時間測定手段とを備えた防犯照明装置。
【請求項６】
請求項１において、
前記時間帯特定手段は、日没を検知する日没検知手段と、日の出を検知する日の出検知手段と、所定の過去分の日没／日の出時刻を蓄積する過去データ蓄積手段と、防犯用の時間帯の威嚇開始時刻を過去データの日没／日の出時刻から平均した日没から日の出までの中点を算出してこの中点に設定する開始時刻設定手段と、防犯用の時間帯の威嚇終了時刻を中点からの経過時間として設定する終了時刻設定手段と、前記威嚇開始時刻から威嚇終了時刻までの経過時間を測定する経過時間測定手段とを備えた防犯照明装置。
【請求項７】
請求項１において、
前記時間帯特定手段は、計時する時計と、防犯用の時間帯の威嚇開始時刻を設定する開始時刻設定手段と、防犯用の時間帯の威嚇終了時刻を設定する終了時刻設定手段とを備えた防犯照明装置。
【請求項８】
請求項１において、
前記時間帯特定手段は、家人の帰宅を判別する帰宅判別手段と、防犯用の時間帯の威嚇開始時刻を、帰宅予定のすべての家人の帰宅を確認した時刻として設定する威嚇開始時刻設定手段と、防犯用の時間帯の威嚇終了時刻を全員の帰宅確認時からの経過時間として設定する終了時刻設定手段とを備えた防犯照明装置。
【請求項９】
請求項１から８のいずれかにおいて、
少なくとも前記照明器による照明の点滅の際に検知エリアを撮影するカメラを備えた防犯照明装置。
【発明の詳細な説明】
【０００１】
【発明の属する技術分野】
本発明は、一般住宅や工場などの建物の屋外における検知エリア内で、夜間に不法侵入者を検知したとき、その侵入者に対して威嚇のために検知エリア内で照明を点滅（以下、フラッシング点灯という）させる防犯照明装置に関し、特に、フラッシング点灯の開始または終了タイミングの適正化の向上に関する。
【０００２】
【従来の技術】
従来から、一般住宅や工場などの建物の屋外における検知エリア内で、夜間に人体を検知したとき、一定時間照明を連続して点灯させたり、深夜の不法侵入者に対し、点灯と消灯を複数回繰り返すフラッシング点灯をさせて威嚇することが知られている。例えば、実開平７−２９６９１号公報には、侵入者検知からタイマを作動させて、タイマの設定により、連続点灯とフラッシング点灯を切り換えることが開示されている。また、日没後の夜間の時間帯に応じて連続点灯とフラッシング点灯を手動で切り換える場合もある。
【０００３】
【発明が解決しようとする課題】
この防犯照明装置において、家人の帰宅状況変化や周辺道路事情の変化などに応じて、夜間にフラッシング点灯を開始するタイミングを設定することは重要である。あまり早く開始すると、侵入者でない者（例えば、家人）にとって威嚇のためのフラッシング点灯は、連続点灯と比べて不快なものとなる。その一方、遅すぎると、その間、フラッシング点灯の威嚇効果を発揮しないこととなる。
実開平７−２９６９１号公報のものは、人体を検知すると、侵入者と侵入者でない者の如何を問わず、タイマの設定によるタイミングでフラッシング点灯を行うので、侵入者でない者（例えば、家人）に不快感を与える場合が多くなる。
【０００４】
一方、日没と日の出は季節、また家の立地条件によって変動するから、一般にフラッシング点灯を開始するタイミングも変化する。連続した点灯とフラッシング点灯を手動で切り換える場合、日没からの経過時間で切り換えようとすると、その都度日没時間を確認しておく必要があり、この切り換え設定が面倒なものとなる。
【０００５】
また、日没前の連続した点灯または日の出後のフラッシング点灯は、周囲が明るいことから点灯の意味をもたないので、これらの開始または終了のタイミング設定も適切に行う必要があるが、季節の変動に応じたこれらの設定も面倒である。
【０００６】
本発明は、前記の問題点を解決して、威嚇の開始タイミングを容易に適正化できる防犯照明装置を提供することを目的としている。
【０００７】
【課題を解決するための手段】
前記目的を達成するために、本発明にかかる防犯照明装置は、検知エリア内の人体を検知する人体検知器と、人体が検知されたとき検知エリアを照明する照明器と、一日の防犯用の時間帯を特定する時間帯特定手段と、特定された防犯用の時間帯において人体が検知されたとき、検知エリア内への侵入者を威嚇する威嚇手段とを備えている。
【０００８】
この構成によれば、時間帯特定手段により特定された防犯用の時間帯において人体検知器により人体が検知されたとき、検知エリア内への侵入者を威嚇するので、防犯用の時間帯の特定により威嚇の開始タイミングを容易かつ適切に設定できる。
【０００９】
好ましくは、前記威嚇手段が前記照明器の照明の点滅により威嚇するものである。また、前記威嚇手段が音による威嚇または前記照明器の照明の点滅による威嚇と音による威嚇の組合せである。したがって、侵入者に対して効果的な威嚇が可能となる。
【００１０】
好ましくは、前記時間帯特定手段は、日没を検知する日没検知手段と、防犯用の時間帯の威嚇開始時刻を日没からの経過時間として設定する開始時刻設定手段と、防犯用の時間帯の威嚇終了時刻を日没からの経過時間として設定する終了刻設定手段と、前記威嚇開始時刻から威嚇終了時刻までの経過時間を測定する経過時間測定手段とを備えている。したがって、測定された経過時間が日没からの経過時間として設定された威嚇開始時刻に等しくなったときに威嚇を開始するので、季節や家の立地条件に基づく日没の変動に応じて防犯用の時間帯を特定できるから、威嚇の開始タイミングをより容易かつ適切に設定できる。
【００１１】
好ましくは、前記時間帯特定手段は、日没を検知する日没検知手段と、日の出を検知する日の出検知手段と、防犯用の時間帯の威嚇開始時刻を日没から日の出までの中点を算出してこの中点に設定する開始時刻設定手段と、防犯用の時間帯の威嚇終了時刻を中点からの経過時間として設定する終了時刻設定手段と、前記開始時刻から終了時刻までの経過時間を測定する経過時間測定手段とを備えている。したがって、測定された経過時間が日没から日の出までの中点として設定された威嚇開始時刻に等しくなったときに威嚇を開始するので、季節や家の立地条件に基づく日没の変動に応じて防犯用の時間帯をより正確に特定できるから、威嚇の開始タイミングをより一層容易かつ適切に設定できる。また、日の出の検知により、威嚇の終了タイミングも容易に適正化できる。
【００１２】
好ましくは、前記時間帯特定手段は、日没を検知する日没検知手段と、日の出を検知する日の出検知手段と、所定の過去分の日没／日の出時刻を蓄積する過去データ蓄積手段と、防犯用の時間帯の威嚇開始時刻を過去データの日没／日の出時刻から平均した日没から日の出までの中点を算出してこの中点に設定する開始時刻設定手段と、防犯用の時間帯の威嚇終了時刻を中点からの経過時間として設定する終了時刻設定手段と、前記威嚇開始時刻から威嚇終了時刻までの経過時間を測定する経過時間測定手段とを備えている。したがって、蓄積された過去データに基づいて算出された中点の威嚇開始時刻において、威嚇の開始タイミングを自動的に適正化できる。
【００１３】
一実施形態にかかる防犯照明装置は、前記時間帯特定手段が、計時する時計と、防犯用の時間帯の威嚇開始時刻を設定する開始時刻設定手段と、防犯用の時間帯の威嚇終了時刻を設定する終了時刻設定手段とを備えている。
【００１４】
この構成によれば、時計による計時が威嚇開始時刻に達したのち、人体検知器により人体が検知されたときに威嚇を開始するので、威嚇の開始タイミングを簡易な構成で容易かつ適切に設定できる。
【００１５】
他の実施形態にかかる防犯照明装置は、前記時間帯特定手段が、家人の帰宅を判別する帰宅判別手段と、防犯用の時間帯の威嚇開始時刻を、帰宅予定のすべての家人の帰宅を確認した時刻として設定する威嚇開始設定手段と、防犯用の時間帯の威嚇終了時刻を全員の帰宅確認時からの経過時間として設定する終了時刻設定手段と、前記威嚇開始時刻から威嚇終了時刻までの経過時間を測定する経過時間測定手段とを備えている。
【００１６】
この構成によれば、帰宅予定の全員の帰宅確認がなされたのち、人体検知器により人体が検知されたときに威嚇を開始するので、家人に不快感を与えることなく、威嚇の開始タイミングを自動的に適正化できる。
【００１７】
好ましくは、少なくとも照明器の照明の点滅の際に検知エリアを撮影するカメラを備えている。したがって、検知エリア内の侵入者を撮影できる。
【００１８】
【発明の実施の形態】
以下、本発明の実施形態を図面にしたがって説明する。
図１は、本発明の第１実施形態に係る防犯照明装置の設置状態の光学的構成を模式的に示す側面図である。本装置は、主として、一般住宅や工場のような建物の外壁面などに取り付けられて、建物の屋外における検知エリアＡ１〜Ａ４に不法に入る侵入者を検知するものであり、この検知エリアＡ１〜Ａ４内の人体を検知する人体検知器１と、検知エリアＡ１〜Ａ４を照明する照明器１１とを備えている。
【００１９】
人体検知器１は、例えば受動型赤外線（ＰＩＲ）方式であり、ケース４１の中に焦電素子からなる一対の赤外線検出素子２、３を収納している。各検出素子２、３は、その前方に位置してケース４１に取り付けられたフレネルレンズのような光学系５１、５２により、検知エリアＡ１〜Ａ４を設定している。各検知エリアＡ１〜Ａ４において人体Ｈなどから放射される赤外線エネルギは、光学系５１、５２により集光されて対応する検出素子２、３に入射され、人体Ｈが検知される。なお、ここでの人体Ｈは検知エリアＡ１〜Ａ４内への侵入者である。
【００２０】
照明器１１は、例えばハロゲンランプや高圧放電ランプなどからなり、検知エリアＡ１〜Ａ４内で、人体検知器１が人体Ｈを検知したとき、その検知エリアＡ１〜Ａ４に向けて一定時間照明を連続して点灯し、夜間の不法侵入者に対し、威嚇のために照明器１１の照明を点滅（フラッシング点灯）する。この例では、威嚇手段は、この照明器１１のフラッシング点灯による威嚇である。
【００２１】
図２は、前記防犯照明装置の電気系のブロック構成図である。
この防犯照明装置は、一日の防犯用の時間帯を特定する時間帯特定手段１９を備えている。この例では、防犯用の時間帯を日没から所定時間が経過した時刻から日の出時刻までの夜間の特定の時間帯としている。この時間帯特定手段１９は、周囲の明るさを測定する照度センサ５と、検出素子２、３からの検出パルス信号を受けて信号処理し、人体検知信号を出力する人体検知回路６と、日没と日の出を検知する日没検知回路７および日の出検知回路８を有し、検知された日没と日の出から夜間を判別する夜間判別手段１０とを備えている。照度センサ５と日没検知回路７により日没検知手段を構成し、照度センサ５と日の出検知回路８により日の出検知手段を構成する。照度センサ５は例えば光導電型センサからなり、緩やかに照度が変化したときのみ検知し、夜間の車からのヘッドライトや日中の雷などによる急激な照度変化に起因する誤認を避けるものが用いられる。また、夜間判別手段１０により判別された夜間の特定の時間帯において前記人体検知器１により人体が検知されたとき、照明器１１を駆動する照明駆動回路１２が設けられている。
【００２２】
前記時間帯特定手段１９は、フラッシング点灯による威嚇を開始する時刻を前記夜間判別手段１０によって検知された日没からの経過時間として設定する威嚇開始時刻設定手段１４ａと、威嚇を終了する時刻を日の出を検知した時刻として設定する威嚇終了時刻設定手段１４ｂとを備えている。この威嚇開始時刻設定手段１４ａに威嚇開始時刻を入力することにより、フラッシング点灯の開始タイミングを自由に設定できる。この時間帯特定手段１９は、また、前記威嚇開始時刻から威嚇終了時刻までの経過時間を測定する経過時間タイマからなる経過時間測定手段１５と、測定された経過時間と設定された威嚇開始時刻または威嚇終了時刻とを比較する比較回路１６とを備えている。照明制御回路２０は、測定された経過時間が設定された威嚇開始時刻に達したときに照明駆動回路１２を作動させ、威嚇終了時刻に達したときに照明駆動回路１２の作動を停止させる。これら威嚇開始時刻設定手段１４ａ、威嚇終了時刻設定手段１４ｂ、経過時間測定手段１５、比較回路１６および照明制御回路２０は、装置全体を制御する制御装置２１に内蔵されている。
【００２３】
この制御装置２１は、さらに、基準クロックを発生させる基準クロック発生回路９と、人体検知回路６により人体を検知し、かつ日没検知回路７により日没を検知したとき、そのカウントを開始する照明時間タイマ１７を備えている。その他、ＲＳフリップフロップ１３、論理回路Ｌ１〜Ｌ５などが設けられている。
【００２４】
また、この防犯照明装置は、照明駆動回路１２によりフラッシング点灯する際に、検知エリアＡ１〜Ａ４を撮影するカメラ３３と、カメラ３３を作動させる撮影制御部３４とを備えている。
【００２５】
上記構成の防犯照明装置の照明制御回路２０による制御処理を、図３に示すタイムチャートとともに説明する。
まず、日没検知回路７により日没ｔ１（図３の（ａ））を検知すると、ＲＳフリップフロップ１３のＱ出力からＨ信号がＡＮＤ回路Ｌ１、Ｌ２に入力される。すると、基準クロック発生回路９の基準クロック信号が入力しているＡＮＤ回路Ｌ２からＨ信号が出力され、この信号が経過時間タイマ１５に入力して、日没時点ｔ１からの経過時間のカウントが開始される。測定された経過時間が設定された威嚇開始時間Ｔ２に達した時点（威嚇開始時刻）ｔ２で、比較回路１６からＨ信号が出力される。威嚇開始時間Ｔ２を例えば冬期に７時間に設定し、夏期に５時間に設定すると、威嚇開始時刻ｔ２はほぼ午前０時になる。一方、前記日没検知を示すＨ信号（日没検知信号）が入力されているＡＮＤ回路Ｌ１に人体検知を示すＨ信号（人体検知信号、図３の（ｂ））が入力すると、照明時間タイマ１７がカウントを開始する。人体検知かつ日没検知を示す照明時間タイマ１７がカウントしている間に、比較回路１６からのＨ信号がＡＮＤ回路Ｌ５に入力すると、ＡＮＤ回路Ｌ５から照明駆動回路１２へフラッシング点灯信号が出力して、これを作動させ、威嚇のためにその検知エリアＡ１〜Ａ４に向けて照明器１１がフラッシング点灯する（図３の（ｃ））。こうして、時点ｔ２からｔ３までの特定の時間帯Ｔ３においてフラッシング点灯が実行される。
【００２６】
一方、日没ｔ１の検知から測定された経過時間が設定された威嚇開始時間Ｔ２に達するまでは、前記比較回路１６からＬ信号が出力し、このＬ信号がＮＯＴ回路Ｌ４によりＨ信号となる。このＨ信号が、人体検知かつ日没検知を示す照明時間タイマ１７がカウントしている間に、ＡＮＤ回路Ｌ３に入力すると、ＡＮＤ回路Ｌ３から照明駆動回路１２へ連続点灯信号を出力して、これを作動させ、その検知エリアＡ１〜Ａ４に向けて照明器１１が一定時間、例えば６０秒間、連続して点灯する（図３の（ｃ））。
【００２７】
日の出検知回路８により日の出ｔ３（図３の（ａ））を検知すると、ＲＳフリップフロップ１３の反転Ｑ出力からＨ信号（日の出検知信号）が経過時間タイマ１５に入力され、Ｑ出力からＬ信号がＡＮＤ回路Ｌ１に入力される。すると、経過時間タイマ１５はそのカウントを停止してリセットされ、照明時間タイマ１７もそのカウントを停止してリセットされる。これにより、日の出検知とともに威嚇のためのフラッシング点灯が終了する。前記日没ｔ１から日の出ｔ３までの時間が夜間Ｔ１となり、威嚇開始時刻ｔ２から日の出ｔ３までの時間Ｔ３が夜間Ｔ１の特定の時間帯となる（図３の（ａ））。なお、威嚇終了時刻設定手段１４ｂは、上記のように特定の時間帯の終了時刻を日の出を検知した時刻として設定するのではなく、日没からの経過時間として設定するようにしてもよい。
こうして、夜間Ｔ１において、日没ｔ１から威嚇開始時刻ｔ２までの時間Ｔ２に連続点灯し、威嚇開始時刻ｔ２から日の出ｔ３までの時間Ｔ３に威嚇のためにフラッシング点灯する（図３の（ｃ））。
【００２８】
また、制御装置２１は、照明駆動回路１２によりフラッシング点灯する際に、検知エリアＡ１〜Ａ４（図１）を撮影するように、撮影制御部３４に対しカメラ３３を作動させる（図３の（ｄ））。例えば、複数枚スチル撮影される。この場合、カメラ撮影のため、フラッシング点灯の前半を連続点灯させるようにしてよい（図３の（ｃ）の拡大図）。カメラ撮影を行わない場合には、一定時間のすべてをフラッシング点灯する。
なお、フラッシング点灯する際だけでなく、連続点灯する際にもカメラ撮影するようにしてもよい。
【００２９】
このように、この実施形態では、測定された経過時間が設定された威嚇開始時間に等しくなったときにフラッシング点灯を開始するので、威嚇のためのフラッシング点灯開始のタイミングを容易かつ適切に設定できる。また、日没と日の出の検知により、日没後の連続点灯の開始および日の出後のフラッシング点灯の終了のタイミング設定も容易かつ適切に行うことができる。
【００３０】
なお、この実施形態では、威嚇手段として、照明器１１のフラッシング点灯によって威嚇しているが、これに代えて、音源とスピーカを設けて大きな音によって威嚇してもよいし、照明器１１のフラッシング点灯による威嚇と音による威嚇を組合せてもよい。
【００３１】
つぎに、第２実施形態について説明する。この第２実施形態は、第１実施形態と異なり、日没からの経過時間を測定する代わりに、時計（カレンダ）の計時が威嚇開始時刻に達したときにフラッシング点灯を開始するものである。図４に示すように、この防犯照明装置は、時間帯特定手段１９Ａが、計時する時計として機能する基準時計回路１８と、前記夜間の特定の時間帯においてフラッシング点灯を開始する威嚇開始時刻を設定する威嚇開始時刻設定手段１４Ａａと、フラッシング点灯を終了する威嚇終了時刻を設定する威嚇終了時刻設定手段１４Ａｂと、時計の計時と設定された威嚇開始時刻または威嚇終了時刻とを比較する比較回路１６とを備えており、照明制御回路２０が、時計の計時が威嚇開始時刻に達したのち、人体検知器１により人体が検知されたときに照明駆動回路１２を作動させる。威嚇開始時刻は、威嚇開始時刻設定手段１４Ａａにより、例えば午前０時に設定される。これら威嚇開始時刻設定手段１４Ａａ、威嚇終了時刻設定手段１４Ａｂ、時計１８、比較回路１６、照明制御回路２０は、装置全体を制御する制御装置２１に内蔵されている。その他の構成は第１実施形態と同様である。
【００３２】
前記時計１８には、正確な計時が可能となる、水晶発振回路、原子時計をもとにした時刻の発信電波を受信する時刻電波受信回路、電源周波数をもとにして１／周波数を１秒として計時する電源周波数計数回路、または電源周波数種別判別回路（５０／６０サイクル判別）などを用いるのが好ましい。
【００３３】
この防犯照明装置は、照明制御回路２０により、時計１８による計時が威嚇開始時刻に達したのち、人体検知器１により人体が検知されたときに照明駆動回路１２を作動させて照明器１１をフラッシング点灯する。時計１８による計時が威嚇終了時刻に達すると、フラッシング点灯を終了する。これにより、簡易な構成で、威嚇のためのフラッシング点灯の開始または終了のタイミングを容易かつ適切に設定できる。
【００３４】
つぎに、第３実施形態について説明する。この第３実施形態は、第１実施形態と異なり、威嚇開始時刻を入力して設定する代わりに、夜更け時刻（中点）を算出して設定し、フラッシング点灯の開始タイミングを自動的に適正化できるものである。図５に示すように、この防犯照明装置は、時間帯特定手段１９Ｂが、前記夜間判別手段１０による日没／日の出時刻の判別結果を所定の過去分だけ蓄積する過去データ蓄積手段２２と、前記夜間の特定の時間帯におけるフラッシング点灯による威嚇を開始する時刻を過去データの日没／日の出時刻から平均した日没から日の出までの中点を算出してこの夜更け時刻（中点）に設定する威嚇開始時刻設定手段２３ａと、威嚇を終了する時刻を中点からの経過時間として設定する威嚇終了時刻設定手段２３ｂと、経過時間タイマ１５により測定された経過時間と設定された中点または中点からの経過時間とを比較する比較回路１６とを備えている。照明制御回路２０は、設定された中点に達したときに照明駆動回路１２を作動させ、中点からの経過時間に達すると照明駆動回路１２の作動を停止させる。これら過去データ蓄積手段２２、夜更け時刻推定手段２３、経過時間タイマ１５、比較回路１６、照明制御回路２０は、装置全体を制御するマイクロプロセッサからなる制御装置３０に内蔵されている。その他の構成は第１実施形態と同様である。
【００３５】
この防犯照明装置は、過去データ蓄積手段２２により、日没／日の出時刻による夜間Ｔ１のデータを例えば昨日から七日前まで蓄積し、威嚇開始時刻設定手段２３ａにより、蓄積された夜間Ｔ１のデータの平均時間の例えば５０％または６０％の時間を算出して夜更け時刻（中点）ｔ２（図３の（ａ））と設定する。なお、平均時間の５０％の時間から例えば１時間前または１時間後を夜更け時刻と設定してもよい。そして、照明制御回路２０により、設定された夜更け時刻（中点）ｔ２から照明駆動回路１２を作動させて照明器１１をフラッシング点灯する。夜更け時刻（中点）ｔ２からの経過時間が威嚇終了時刻に達すると、フラッシング点灯を終了する。これにより、蓄積された過去データに基づいて設定された夜更け時刻から、人体検知器１により人体が検知されたときに威嚇のためのフラッシング点灯の開始タイミングを、または終了タイミングを自動的に適正化できる。
【００３６】
なお、この実施形態では、過去データ蓄積手段２２が所定の過去分の日没／日の出時刻を蓄積して、この日没／日の出時刻の平均から中点を算出しているが、これを省略して、例えば、前日のデータに基づいて、日没から日の出までの中点を算出して、この中点を威嚇開始時刻としてもよい。
【００３７】
つぎに、第４実施形態について説明する。この第４実施形態は、第１実施形態と異なり、威嚇開始時刻を入力して設定する代わりに、家人全員の帰宅確認により、フラッシング点灯の開始タイミングを自動的に設定するものである。図６に示すように、この防犯照明装置は、時間帯特定手段１９Ｃが、家人の帰宅を判別する帰宅判別手段２４と、前記夜間の特定の時間帯におけるフラッシング点灯による威嚇を開始する時刻を、帰宅予定のすべての家人の帰宅を確認した時刻として設定する威嚇開始時刻設定手段２５ａと、威嚇を終了する時刻を全員の帰宅確認時からの経過時間として設定する威嚇終了時刻設定手段２５ｂとを備えている。また、照明制御回路２０は、威嚇開始時刻設定手段２５ａによる全員の帰宅確認がなされたのちに、人体検知器１により人体が検知されたときに照明駆動回路１２を作動させ、全員の帰宅確認時からの経過時間に達すると照明駆動回路１２の作動を停止させる。これら帰宅判別手段２４、威嚇開始時刻設定手段２５ａ、威嚇終了時刻設定手段２５ｂ、照明制御回路２０は、装置全体を制御するマイクロプロセッサからなる制御装置３０に内蔵されている。その他の構成は第１実施形態と同様である。
【００３８】
前記帰宅判別手段２４は、例えばＩＤカードを各人が持って、ＩＤ入力装置により非接触で各人の帰宅を検知する。前記威嚇開始時刻設定手段２５ａは、例えば前記ＩＤカードにより全員の帰宅を検知することにより、全員の帰宅後にチェーンロックが掛けられたときにこれを検知することにより、または最後に帰宅した家人の携帯電話の着歴を利用することなどにより、帰宅予定のすべての家人の帰宅を確認する。
【００３９】
この防犯照明装置は、帰宅判別手段２４により各人の帰宅を検知し、威嚇開始時刻設定手段２５ａにより、帰宅予定の全員の帰宅を確認する。そして、照明制御回路２０により、全員の帰宅確認がなされたのちに、照明駆動回路１２を作動させて照明器１１をフラッシング点灯する。全員の帰宅確認時からの経過時間が威嚇終了時刻に達すると、フラッシング点灯を終了する。これにより、帰宅予定の全員の帰宅確認がなされたのち、人体検知器１により人体が検知されたときにフラッシング点灯を開始するので、威嚇のためのフラッシング点灯の開始タイミングを、または終了タイミングを自動的に適正化できる。
なお、家族の最近の帰宅時間データを蓄積する家族データ蓄積手段２６を設けて、このデータに基づいて遅くとも全員が帰宅する時間を算出し、この算出した時間で全員の帰宅確認を行うようにしてもよい。
【００４０】
なお、前記各実施形態では、一日の防犯用の時間帯を夜間における特定の時間帯としているが、例えば建物内の比較的暗い場所などにおいては、夜間以外の昼間における特定の時間帯としてもよい。
【００４１】
また、前記各実施形態では、カメラ３４および撮影制御部３３を設けているが、省略してもよい。
【００４２】
なお、前記各実施形態では、人体検知器１を受動型赤外線（ＰＩＲ）方式としたが、検知波として近赤外線を投光し、物体から反射した近赤外線を受光して物体を検出するＡＩＲ方式でもよい。また、超音波または電波を検知波として送受信する送信素子と受信素子を備えた超音波式または電波式の能動型センサを用いることもでき、さらに、電磁波の撹乱を検知することにより、また領域の内外を分ける物理遮蔽手段の開閉に連動したスイッチなどにより、人体を検知するようにしてもよい。
【００４３】
【発明の効果】
以上のように、本発明によれば、時間帯特定手段により特定された防犯用の時間帯において人体検知器により人体が検知されたとき、検知エリア内への侵入者を威嚇するので、防犯用の時間帯の特定により威嚇の開始タイミングを容易かつ適切に設定できる。
【図面の簡単な説明】
【図１】本発明の第１実施形態に係る防犯照明装置の設置状態の光学的構成を模式的に示す側面図である。
【図２】同実施形態の防犯照明装置の電気回路を示すブロック図である。
【図３】同実施形態の防犯照明装置のタイムチャートである。
【図４】第２実施形態の防犯照明装置の電気回路を示すブロック図である。
【図５】第３実施形態の防犯照明装置の電気回路を示すブロック図である。
【図６】第４実施形態の防犯照明装置の電気回路を示すブロック図である。
【符号の説明】
１…人体検知器、１０…夜間判別手段、１１…照明器（威嚇手段）、１２…照明駆動回路、１４ａ…威嚇開始時刻設定手段、１４ｂ…威嚇終了時刻設定手段、１５…経過時間測定手段、１９…時間帯特定手段、２０…照明制御回路、Ａ１〜Ａ４…検知エリア。
【図１】
2004062269.tif 000003
【図２】
2004062269.tif 000004
【図３】
2004062269.tif 000005
【図４】
2004062269.tif 000006
【図５】
2004062269.tif 000007
【図６】
2004062269.tif 000008